(57)【要約】      （修正有）【課題】居住空間の雰囲気を損ねることなく、また当該空間に出入りする者の気分を損ねることなしに、当該空間内の空気を簡易に消臭できる消臭具を提供する。【解決手段】消臭具１は、消臭具として機能する外装材２と、外装材の内部に内蔵された消臭材３と、を備える。消臭材３は吸湿剤としても機能する消臭吸湿材であっても良い。外装材は、頂部が開放されて、当該頂部から物品の出し入れがされる筒状の容器であって、消臭材は容器の底部に内蔵されている。【選択図】図１
0003228158.tif 000002
【実用新案登録請求の範囲】
【請求項１】
物入れとして機能する外装材と、
前記外装材の内部に内蔵された消臭材と、を備える、
消臭具。
【請求項２】
前記外装材は、頂部が開放されて、当該頂部から物品の出し入れがされる筒状の容器であって、
前記消臭材は前記容器の底部に内蔵されている、
請求項１に記載の消臭具。
【請求項３】
前記容器の底部にウエイトが内蔵されている、
請求項２に記載の消臭具。
【請求項４】
前記容器の底面にフック状係合素子を備えるシートを備える、
請求項２又は請求項３に記載の消臭具。
【考案の詳細な説明】
【技術分野】
【０００１】
本考案は、家庭あるいは自動車で使用される消臭具に関する。
【背景技術】
【０００２】
家庭あるいは自動車の居住空間に配置されて、当該居住空間の空気を消臭する消臭剤が知られている。例えば、特許文献１には、消臭成分を染み込ませた消臭紙をプリーツ加工したものを紙箱に収納して構成された紙製消臭剤が開示されている。また、特許文献２には、臭気分解剤を繊維物に担持させた臭気分解物質と、通気性のある不織布の容器に充填された臭気吸着物質とを組み合わせて、通気性のある容器に入れて構成された自動車用消臭パックが開示されている。
【先行技術文献】
【特許文献】
【０００３】
【特許文献１】特開２００１−１７０１５５号公報
【特許文献２】特開２００６−１４７６９号公報
【考案の概要】
【考案が解決しようとする課題】
【０００４】
特許文献１に記載の紙製消臭剤及び特許文献２に記載の自動車用消臭パックは、いずれも動力を必要としない。そのため、臭気を除去したい居住空間に、これらの資材を置くだけで、当該空間の空気の臭気を簡易に除去することができる。
【０００５】
しかしながら、特許文献１に記載の紙製消臭剤及び特許文献２に記載の自動車用消臭パックは、いずれも居住空間の空気の消臭に特化した資材である。つまり、これらの資材は空気の消臭以外の用途を有していない。そのため、これらの資材の居住空間内に置くと、当該空間が消臭剤を必要とする空間であることが、あからさまになるという問題がある。その結果、当該空間の雰囲気を損ねて、当該空間に出入りする者の気分を損ねると言う問題がある。
【０００６】
本考案は、上記の問題に鑑みてなされたものであり、居住空間の雰囲気を損ねることなく、また当該空間に出入りする者の気分を損ねることなしに、当該空間内の空気を簡易に消臭できる消臭具を提供することを目的とする。
【課題を解決するための手段】
【０００７】
上記目的を達成するために、本考案に係る消臭具は、物入れとして機能する外装材と、外装材の内部に内蔵された消臭材とを備えるものである。外装材は、頂部が開放されて、当該頂部から物品の出し入れがされる筒状の容器であっても良い。消臭材は容器の底部に内蔵されても良い。容器の底部にウエイトが内蔵されても良い。容器の底面にフック状係合素子を備えるシートを備えても良い。
【考案の効果】
【０００８】
本考案によれば、物入れとして機能する外装材の内部に消臭材が内蔵されているので、外装材の外側からは消臭材が見えない。つまり、本考案に係る消臭具は、外観を見る限りは、物入れそのものである。そのため、本考案に係る消臭具を居住空間に配置した場合に、視覚的な違和感が生じない。その結果、居住空間の雰囲気を損ねることなく、また当該空間に出入りする者の気分を損ねることなしに、居住空間内に消臭具を配置して、居住空間内の空気を簡易に消臭することができる。
【０００９】
物入れとして機能する外装材の底部に消臭材を内蔵すれば、当該物入れに収納される物品から発生する臭気の発散を抑制することができる。外装材の底部にウエイトを内蔵すれば、消臭具の転倒が抑制される。外装材の底面にフック状係合素子を備えるシートを備えれば、消臭具の移動が抑制される。
【図面の簡単な説明】
【００１０】
【図１】本考案の実施形態に係る消臭具の外形図であって、（Ａ）は上面図であり、（Ｂ）は正面図であり、（Ｃ）は底面図である。
【図２】図１に記載の消臭具が備えるフック面と、フック面に結合されるループ面とからなる面ファスナーの構成を説明する図である。
【図３】図１に記載の消臭具を、図１（Ａ）においてＡＡ’線で示す平面で切断して示す断面図である。
【図４】図１に記載の消臭具が備える消臭剤の構造を示す図である。
【考案を実施するための形態】
【００１１】
図１は、本考案の実施形態に係る消臭具１の外形図であって、（Ａ）は消臭具１の上面図であり、（Ｂ）は消臭具１の正面図であり、（Ｃ）は消臭具１の底面図である。
【００１２】
図１（Ａ）及び（Ｂ）に示すように、消臭具１は、外装材２の内部に消臭材３を内蔵して構成されている。外装材２は、居住空間、例えば、住宅の居室あるいは自動車の車室内に置かれて、小物入れとして機能する容器である。なお、外装材２に収納される物品は特に限定されないが、外装材２には、例えば、携帯電話、テレビのリモコン、たばこ等が収納される。
【００１３】
外装材２は筒状の容器であって、頂部２ａが開放されて、頂部２ａから物品の出し入れがされる。また、図１（Ａ）に示すように、外装材２は、平面形において長円形の外形を有している。
【００１４】
外装材２の底部２ｂには、消臭材３とウエイト４が内蔵されている。ウエイト４は、消臭具１の重心位置を下げて、消臭具１を倒れ難くする倒れ止めとして機能する。なお、本実施形態においては、砂粒を袋に詰めた砂袋をウエイト４としている。また、消臭材３の具体的な構成と作用については後述する。
【００１５】
図１（Ｂ）及び（Ｃ）に示すように、外装材２の底面２ｃには、フック面シート５が貼り付けられている。図２に示すように、フック面シート５は、多数の微小なフック状係合素子５ａを、ベースとなる布片５ｂに植え付けて構成された面状の部材である。また、フック面シート５は、ループ面シート６と組み合されて、面ファスナー７を構成する。なお、ループ面シート６は、多数のプラスチック製の微小なループ状係合素子６ａをベースとなる布片６ｂに植え付けて構成された面状の部材である。フック面シート５とループ面シート６を面接触させると、フック状係合素子５ａとループ状係合素子６ａが互いに係合して、その結果、フック面シート５とループ面シート６が結合される。
【００１６】
このように、消臭具１の底部にフック面シート５が貼り付けられているので、消臭具１が配置される場所に予めループ面シート６を貼り付けておけば、フック面シート５とループ面シート６を結合することによって、消臭具１を当該場所に固定することができる。また、ループ面シート６が貼り付けられていない場所であっても、フック面シート５は、消臭具１の位置ずれを抑制する滑り止めとして機能する。特に、消臭具１が配置される場所が目の粗い布地で覆われている場合に、フック面シート５は滑り止めとして効果的に機能する。
【００１７】
図３は、消臭具１を、図１（Ａ）においてＡＡ’線で示す平面で切断して示す断面図である。図３に示すように、消臭具１の外装材２は、側壁部芯材８と底板９とを備えている。側壁部芯材８は、硬質の発泡ウレタン製の面材を環状に接合して、全体として筒状に構成した部材である。底板９はプラスチックの板材から切り出された平板状の部材である。側壁部芯材８と底板９は、消臭具１の、いわば、骨格をなす部材であって、外装材２の形状は側壁部芯材８と底板９によって保たれる。
【００１８】
側壁部芯材８の外面は、外皮１０によって被覆されている。外皮１０は合成皮革製のシート状の部材である。外皮１０の上縁は折り曲げられて、側壁部芯材８の上端と、側壁部芯材８の上部の内面を被覆している。そして、外皮１０の上縁は、図示しない縫い糸によって、側壁部芯材８に縫い付けられている。外皮１０の下端は底板９に接していて、布製の縁取りテープ１１を介して底板９に連結されている。すなわち、図３に示す断面形において、縁取りテープ１１の一方端が、図示しない縫い糸によって、外皮１０に縫い合わされている。そして、縁取りテープ１１の他方端が底板９に縫い付けられている。
【００１９】
側壁部芯材８の内面は、側面内張１２によって被覆されている。また、底板９の上面は、底面内張１３によって被覆されている。側面内張１２の上縁は外皮１０と側壁部芯材８の間に挟まれている。そして、側面内張１２の上縁は、図示しない縫い糸によって、側壁部芯材８に縫い付けられている。側面内張１２の下縁と底面内張１３の外縁は、外皮１０と底面内張１３の間に挟まれている。そして、側面内張１２の下縁と底面内張１３の外縁は、図示しない縫い糸によって、底板９に縫い付けられている。
【００２０】
底面内張１３と底板９の間には、消臭材３とウエイト４が内蔵されている。なお、底面内張１３は薄手の比較的に目の粗い布地で構成されていて、消臭具１が置かれた空間を漂う臭気の原因物質の粒子は、底面内張１３を通り抜けて、消臭材３に到達する。なお、底板９は外装材２の底部を構成する部材である。そして、前述したように、外装材２の底面、つまり、底板９の下面には、フック面シート５が貼り付けられている。
【００２１】
図４は、消臭材３の構造を示す図である。図４に示すように、消臭材３は、不織布製の袋３ａに木炭３ｂを詰めて構成されている。また、袋３ａには多数の小孔３ｃが開けられている。なお、本実施形態においては、小孔３ｃの孔径を約０．５ｍｍにしている。しかしながら、小孔３ｃの孔径はこれには限定されない。小孔３ｃの孔径は、臭気の原因物質の粒子が通過できる大きさであって、後述する木炭３ｂの粒子がこぼれない大きさであれば良い。
【００２２】
木炭３ｂは、木質原料を蒸し焼きにして得られた木炭を、粉砕して平均粒径４ｍｍの粒状にしたものである。木炭３ｂは、その内部に微細な細孔を備えている。木炭３ｂは、その細孔に臭気の原因となる物質の粒子を捉えて、保持することができる。そのため、木炭３ｂは消臭剤として機能する。また、木炭３ｂは、細孔に水分を捉えて、保持することもできるので、吸湿剤としても機能する。したがって、木炭３ｂは消臭吸湿材として機能する。
【００２３】
木炭３ｂの原料は特に限定されないが、針葉樹が木炭３ｂの原料としては望ましい。針葉樹、例えば杉材を７００〜８００℃で蒸し焼きにすることによって、細孔容積と細孔半径が大きい木炭３ｂ、つまり消臭剤に適した木炭３ｂを得ることができる。また、木炭３ｂの原料は、最初から木炭３ｂの原料として切り出された木材には限定されない。廃材、例えば建築廃材、包装用木枠あるいは木箱の廃材を木炭３ｂの原料としても良い。
【００２４】
消臭具１は、上記のように構成されているので、消臭具１を住宅の居室あるいは自動車の車室内に置けば、周囲の空間内を浮遊する臭気の原因物質を木炭３ｂで吸着して、住宅の居室あるいは車室内の臭気を軽減することができる。また、小物入れとして機能する外装材２に収納された物品が何らかの臭気を発する場合には、その臭気の発散を抑制することができる。
【００２５】
消臭具１は、外観上は、小物入れそのものであり、従来の小物入れと変わるところはない。そのため、消臭具１を住宅の居室あるいは自動車の車室内部に置いた場合に、周囲の人間に違和感を与えることが少ないので、周囲の雰囲気を損ねることがない。
【００２６】
以上、説明したように、上記の実施形態に係る消臭具１によれば、居住空間の雰囲気を損ねることなく、また当該空間に出入りする者の気分を損ねることなしに、当該空間内の空気を簡易に消臭することができる。
【００２７】
なお、本考案の技術的範囲は上記の実施形態によっては、限定されない。本考案は、実用新案登録請求の範囲に記載の技術的思想の限りにおいて、自由に、応用変形あるいは改良して実施することができる。
【００２８】
上記に示した外装材２の、構成、形状及び素材は例示であって、本考案の技術的範囲は、これらによっては限定されない。外装材２は、側壁部芯材８と底板９と外皮１０とで構成されたものには限定されない。外装材２は側壁と底板が一体成形されたものであっても良い。外装材２は、外皮１０と側面内張１２と底面内張１３を備えるものには限定されない。外皮１０と側面内張１２と底面内張１３は任意の構成要素である。つまり、外装材２は、外皮１０と側面内張１２と底面内張１３のいずれか、あるいは全てを備えないものであっても良い。上記において外装材２が主として合成樹脂系の材料で構成される例を示したが、外装材２の素材は、合成樹脂系の材料には限定されない。外装材２は、一部又は全部が、紙、布あるいは木質系の材料で構成されたものであっても良い。
【００２９】
上記においては、外装材２が小物入れとして機能する例を示したが、外装材２は何らかの物品を収納する物入れとして機能すれば十分であり、外装材２に収納される物品はいわゆる小物には限定されない。外装材２に収納される物品は、紙屑等であっても良い。つまり、外装材２はくず入れとして機能するものであっても良い。
【００３０】
上記において、不織布製の袋３ａに木炭３ｂを袋詰めして消臭材３を構成する例を示したが、消臭材３は主成分となる物質を袋詰めしたものには限定されない。臭気の原因物質を吸着あるいは分解できる物質をそのまま、つまり無包装の状態で、底面内張１３と底板９の間の空間に収納しても良い。このように、消臭材３は、消臭剤あるいは吸湿消臭剤として機能するものである限り、その物理的機械的構成は限定されない。
【００３１】
上記において、木炭３ｂの原料及び製造方法、及び木炭３ｂの粒径を説明したが、これらは、例示であって、木炭３ｂの原料、製造方法及び物理的形状は、これらによっては限定されない。そもそも、消臭材３は、木炭３ｂを主成分として含むものには限定されない。消臭材３の主成分は、他の物質、例えば、活性炭、珪藻土、製紙滓（ペーパースラッジ）の焼却灰、あるいは、その他の物質あるいは薬品であっても良い。また、コーヒー滓あるいは茶葉の殼が消臭剤として機能することが知られているので、これらを消臭材３の主成分としても良い。このように、消臭材３の主成分は、臭気の原因物質を吸着あるいは分解できる物質であれば、何でも良い。つまり、消臭材３の主成分の化学的構成は限定されない。
【００３２】
上記において、ウエイト４の具体的構成として、砂粒を袋詰めしたものを例示したが、ウエイト４はこのようなものには限定されない。ウエイト４は、消臭具１の重心位置を下げて、消臭具１の転倒を抑制できる質量を有する物体であれば十分であり、素材は限定されない。ウエイト４は、例えば、コンクリート塊あるいは金属塊であっても良い。金属塊は鋳造品であっても良いし、板材から切り出されたものであっても良い。
【００３３】
消臭具１に、上記において開示されていない構成要素を追加して、消臭具１を変形あるいは改良することは任意である。
【００３４】
例えば、消臭具１の外装材２に抗菌加工を施して、消臭具１に抗菌性を付与しても良い。外皮１０に付いては、抗菌作用を有する物質、例えば銀イオンを含む薬剤でコーティングすることによって、抗菌性を付与することができる。側面内張１２と底面内張１３については、天然の抗菌物質、例えば、ヒノキチオールあるいはキトサンを含浸させることによって、抗菌性を付与することができる。
【符号の説明】
【００３５】
１  消臭具、２  外装材、２ａ  頂部、２ｂ  底部、２ｃ  底面、３  消臭材、３ａ  袋、３ｂ  木炭、３ｃ  小孔、４  ウエイト、５  フック面シート、５ａ  フック状係合素子、５ｂ  布片、６  ループ面シート、６ａ  ループ状係合素子、６ｂ  布片、７  面ファスナー、８  側壁部芯材、９  底板、１０  外皮、１１  縁取りテープ、１２  側面内張、１３  底面内張
【図１】
0003228158.tif 000003
【図２】
0003228158.tif 000004
【図３】
0003228158.tif 000005
【図４】
0003228158.tif 000006